【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
撮像手段で撮像した動画像データを符号化する画像符号化装置であって、
前記動画像データにおける着目フレームを周波数変換し、複数のサブバンドを生成する周波数変換手段と、
設定された目標符号量に応じて決定される量子化パラメータに従い、各サブバンドの係数データを量子化する量子化手段と、
量子化後の係数データを符号化し、符号化データを生成する符号化手段と、
前記符号化手段で生成された直前のフレームの符号量に応じて、目標符号量を設定する符号量制御手段と、
前記複数のサブバンド毎に、前記着目フレームと前記直前のフレームとの間でシーンチェンジがあるかを判定する判定手段と
を有することを特徴とする画像符号化装置。
【請求項２】
前記判定手段は、前記符号化手段によるサブバンドの係数データの符号化結果に応じて、当該サブバンドにシーンチェンジがあるかを決定することを特徴とする請求項１に記載の画像符号化装置。
【請求項３】
前記符号量制御手段は、前記判定手段によりシーンチェンジがあると判定されたサブバンドについては、前記符号化手段で生成された前のフレームの符号量に応じて決定される目標符号量ではなく、予め設定されているシーンチェンジ用の目標符号量を設定することを特徴とする請求項１に記載の画像符号化装置。
【請求項４】
前記符号量制御手段は、前記判定手段によりシーンチェンジがないと判定されたサブバンドについては、前記符号化手段で生成された前のフレームの符号量に応じて決定される目標符号量を設定することを特徴とする請求項３に記載の画像符号化装置。
【請求項５】
前記量子化手段は、各サブバンドの係数データを所定の領域単位に量子化し、
前記符号化手段は、前記所定の領域毎に符号化を行い、
前記判定手段は、各サブバンドにおいて、予め設定された領域の符号化が完了したタイミングで、シーンチェンジがあるかを判定することを特徴とする請求項１に記載の画像符号化装置。
【請求項６】
前記所定の領域は１ラインであって、
前記判定手段は、各サブバンドにて、予め設定されたラインの位置の符号化が完了するたびに前記判定を行うことを特徴とする請求項５に記載の画像符号化装置。
【請求項７】
前記判定手段は、符号化が完了したライン位置までに発生した符号量と、前記直前のフレームにおいて前記ライン位置までに発生した符号量に所定値を乗算した値とを比較することにより、シーンチェンジがあるか否かを判定することを特徴とする請求項６に記載の画像符号化装置。
【請求項８】
前記判定手段は、前記複数のサブバンド毎に、前記着目フレームと前記直前のフレームとの間の変化の程度を示す評価値を算出し、全サブバンドの評価値の合計値と所定の閾値とを比較することでシーンチェンジがあるか否かを判定し、
前記符号量制御手段は、前記判定手段によりシーンチェンジがあると判定された場合は、全サブバンドについて、前記符号化手段で生成された前のフレームの符号量に応じて決定される目標符号量ではなく、予め設定されているシーンチェンジ用の目標符号量を設定することを特徴とする請求項１に記載の画像符号化装置。
【請求項９】
前記判定手段は、前記周波数変換手段により生成された全てのサブバンドではなく、予め決められた複数のサブバンドについてシーンチェンジがあるか否かを判定することを特徴とする請求項１に記載の画像符号化装置。
【請求項１０】
前記判定手段は、
前記複数のサブバンド毎に、当該サブバンドの画像の難易度を示す指標値づいて、シーンチェンジがあるか否かを判定する
ことを特徴とする請求項１に記載の画像符号化装置。
【請求項１１】
前記符号量制御手段は、
前記判定手段によってシーンチェンジが無いと判定されたサブバンドでは、次に量子化することになる前記所定の領域の目標符号量を前記着目フレームにおける当該サブバンドで発生した符号量に関する情報と前記直前のフレームの該当するサブバンドの符号量に関する情報に基づいて算出し、当該目標符号量に対する実際の符号化データ量との差から前記量子化パラメータを設定し、
前記判定手段によってシーンチェンジが有ると判定されたサブバンドでは、次に量子化することになる前記所定の領域の目標符号量を予め設定された固定値に設定し、前記着目フレームにおける当該サブバンドで発生した符号量と前記固定値との差から前記量子化パラメータを設定する設定手段とを含む
ことを特徴とする請求項５に記載の画像符号化装置。
【請求項１２】
前記設定手段は、
着目サブバンドにおける着目する第ｉラインの直前である第ｉ−１ラインで用いた量子化パラメータをＱｐ[i-1]、前記第ｉ−１ラインの符号化データの符号量をＳ[i-1]としたとき、前記第ｉ−１ラインの複雑度Ｘ[i-1]を次式（１）により求め、
Ｘ[i-1]＝Ｑｐ［i-1］ × Ｓ[i-1]    …（１）
着目サブバンドの目標符号量をＴsb、前記直前のフレームの該当するサブバンドの複雑度の合計値をＸsb_N-1としたとき、シーンチェンジが無いと判定されたサブバンド内の次に量子化することになるラインのライン目標符号量Ｔ[i]を
Ｔ[i]＝Ｔsb × Ｘ[i-1]  ／  Ｘsb_N-1
として算出し、
シーンチェンジが有りと判定されたサブバンド内の次に量子化することになるラインのライン目標符号量Ｔ[i]を予め統計的に求めた値Ｔscとする
ことを特徴とする請求項１１に記載の画像符号化装置。
【請求項１３】
前記設定手段は、
シーンチェンジが無い場合の初期の量子化パラメータをＱｐini、
シーンチェンジが無い場合の制御感度をｒ、
シーンチェンジが有りの場合の初期の量子化パラメータをＱｐinisc、
シーンチェンジが有りの場合の制御感度をｒsc、
第ｉ−１ラインまでの符号化データ量と目標符号量との差の積算をΣＥ[i-1]
と定義したとき、
シーンチェンジが無い場合の前記着目サブバンド内の次に量子化するラインの量子化パラメータＱｐ[i]を次式（２）により求め
Ｑｐ[i]＝Ｑｐini ＋ｒ × ΣＥ[i-1]    …（２）
シーンチェンジが有りの場合の前記着目サブバンド内の次に量子化するラインの量子化パラメータＱｐ[i]を次式（３）により求める
Ｑｐ[i]＝Ｑｐinisc ＋ｒsc × ΣＥ[i-1]    …（３）
ことを特徴とする請求項１２に記載の画像符号化装置。
【請求項１４】
撮像手段で撮像した動画像データを符号化する画像符号化装置の制御方法であって、
周波数変換手段が、前記動画像データにおける着目フレームを周波数変換し、複数のサブバンドを生成する周波数変換工程と、
量子化手段が、設定された目標符号量に応じて決定される量子化パラメータに従い、各サブバンドの係数データを量子化する量子化工程と、
符号化手段が、量子化後の係数データを符号化し、符号化データを生成する符号化工程と、
符号量制御手段が、前記符号化工程で生成された直前のフレームの符号量に応じて、目標符号量を設定する符号量制御工程と、
判定手段が、前記複数のサブバンド毎に、前記着目フレームと前記直前のフレームとの間でシーンチェンジがあるかを判定する判定工程と
を有することを特徴とする画像符号化装置の制御方法。
【請求項１５】
コンピュータに読み込ませ実行させることで、前記コンピュータを、請求項１乃至１３のいずれか１項に記載の画像符号化装置として機能させるためのプログラム。